(57)【要約】【課題】  通信量に応じて遊戯・娯楽的な出力に進歩や変化が生じ、携帯電話機の乱用防止も視野にいれ、低年齢層から年配層に至るまで立場に応じて長く楽しみを保持し続ける携帯電話機用ストラップの提供。【解決手段】  通信時に発生する電波を受けて通信感知出力を発生する通信検出手段１と、前記通信感知出力の発生量を算出し当該算出結果に応じた利用出力を発生する積算手段２と、当該利用出力に応じた格付け出力を発生する制御手段３と、前記格付け出力に応じてランク分けされた規定出力を行う反応手段４とを具備した携帯電話機用ストラップ。【選択図】      図１
2006173761.tif 000002
【特許請求の範囲】
【請求項１】
通信時に発生する電波を受けて通信感知出力を発生する通信検出手段（１）と、前記通信感知出力の発生量を算出し当該算出結果に応じた利用出力を発生する積算手段（２）と、当該利用出力に応じた格付け出力を発生する制御手段（３）と、前記格付け出力に応じてランク分けされた規定出力を行う反応手段（４）とを具備した携帯電話機用ストラップ。
【請求項２】
通信時に発生する電波を受けて通信感知出力を発生する通信検出手段（１）と、前記通信感知出力の発生量を算出し当該算出結果に応じた利用出力を発生する積算手段（２）と、前記通信感知出力の非感知量を算出し当該算出結果に応じたアイドル出力を発生する負積算手段（５）と、前記利用出力とアイドル出力との差に応じた格付け出力を発生する制御手段（６）と、前記格付け出力に応じてランク分けされた規定出力を行う反応手段（４）とを具備した携帯電話機用ストラップ
【請求項３】
一回の通話による前記通信感知出力の継続時間が一定の閾時間を超えることを条件として割り込み出力を発生する時計手段（７）と、当該割り込み出力を受けて割込専用の格付け出力を発生する制御手段（８）とを具備した前記請求項１又は請求項２のいずれかに記載の携帯電話機用ストラップ。
【請求項４】
前記反応手段（４）に、前記規定出力を画像として表示する表示部（９）と、前記ランク分けされた規定出力として生き物の成長、進化、健康、或いは昇進、又は物語、旅、或いは作業の進展のいずれかを段階的に表示する為の前記格付け出力に対応する規定画像データを保持したドライバ（１０）とを具備する前記請求項１乃至請求項３のいずれかに記載の携帯電話機用ストラップ。
【発明の詳細な説明】
【技術分野】
【０００１】
本発明は、携帯電話機に装着するストラップに関し、特に通信（通話を含む。以下、同じ。）時に発生する電波を用いて通話時間や通話回数を繁栄した遊戯・娯楽的な出力を行う装置に関する。
【背景技術】
【０００２】
携帯電話機が広く普及しそれに装着するストラップについても数多くの種類が提供されている。携帯ストラップは、使用時における保持性を担保することはもとより、今日では、個人の趣味やキャラクタに応じて自己の携帯電話機にオリジナリティーを付与するマスコットとしても位置づけられている（例えば、下記特許文献参照。）。
【０００３】
【特許文献１】特開２０００−２３６３７０号公報
【特許文献２】特開２０００−２３６３７１号公報
【発明の開示】
【発明が解決しようとする課題】
【０００４】
上記特許文献開示のストラップは、通信時において音声や動作による遊戯・娯楽的な出力を行うことで使用者を楽しませるものであるが、いくら使用しようとも当該出力に進歩や変化が生じないことからその楽しみが長続きせず、楽しみであるはずのマスコットがいつの間にか自らのポケットやバッグを膨らませるだけの邪魔者となるという問題がある。
【０００５】
一方、携帯電話機は、多くの人が利用し日々その利用頻度は増加の一途をたどっているが、携帯電話料金は固定電話料金に比べ通話料が高額であるのみならず、遊び心をくすぐる有料コンテンツも多いため、利用料金が嵩みがちとなる。今日では、幼稚園児から小中学生に至る低年齢層が被害者となる犯罪が頻発することから、防犯や所在確認を目的として児童の携帯電話機を所持する割合が高まりつつある。その様な状況のなか、例えば、防犯の目的で経済観念の希薄な児童に携帯させたとしても友人との通話やゲーム等を行い携帯電話機を乱用することによって、保護者が予定しない高額の使用料金の請求を受けることが少なくないという問題も顕在化しつつある。
【０００６】
本発明は、上記実情に鑑みて為されたものであって、通信量に応じて遊戯・娯楽的な出力に進歩や変化が生じ、携帯電話機の乱用防止も視野にいれ、低年齢層から年配層に至るまで立場に応じて長く楽しみを保持し続ける携帯電話機用ストラップの提供を目的とする。
【課題を解決するための手段】
【０００７】
上記課題を解決する為に為された本発明による携帯電話機に装着されるストラップは、通信時に発生する電波を受けて通信感知出力を発生する通信検出手段と、前記通信感知出力の発生量を算出し当該算出結果に応じた利用出力を発生する積算手段と、当該利用出力に応じた格付け出力を発生する制御手段と、前記格付け出力に応じてランク分けされた規定出力を行う反応手段とを具備したことを特徴とする。
【０００８】
通信時に発生する電波を受けて通信感知出力を発生する通信検出手段と、前記通信感知出力の発生量を算出し当該算出結果に応じた利用出力を発生する積算手段と、前記通信感知出力の非感知量を算出し当該算出結果に応じたアイドル出力を発生する負積算手段と、前記利用出力とアイドル出力との差に応じた格付け出力を発生する制御手段と、前記格付け出力に応じてランク分けされた規定出力を行う反応手段とを具備した携帯電話機用ストラップとして構成することも可能である。一回の通話による前記通信感知出力の継続時間が一定の閾時間を超えることを条件として割り込み出力を発生する時計手段と、当該割り込み出力を受けて割込専用の格付け出力を発生する制御手段とを具備した構成を採ることもできる。
【０００９】
前記ランク分けされた規定出力は、生き物の成長、進化、健康、或いは昇進、又は物語、旅、或いは作業の進展のいずれかを段階的に表示した画像表示が挙げられ、その状況を文字又は音声として出力することも出来る。具体的には、前記反応手段に、前記規定出力を画像（文字や記号等を含む）として表示する表示部と、前記ランク分けされた規定出力として生き物の成長、進化、健康、或いは昇進、又は物語、旅、或いは作業の進展のいずれかを段階的に表示する為の前記格付け出力に対応する規定画像データを保持したドライバとを具備する構成が挙げられる。
【００１０】
また、前記割込専用の格付け出力を受けて発生する規定出力としては、格上の割り込み出力の格付け出力となるにしたがって、生き物の成長、進化、健康、或いは昇進、又は物語、旅、或いは作業の進展のいずれかを飛躍的に進歩させる画像表示、退歩させる画像表示、又は格付けの内容とは無関係な警告的な表示や音声を用いることができる。
【発明の効果】
【００１１】
本発明による携帯電話機用ストラップによれば、例えば、多くの通信を行うと前記反応手段たるディスプレイに表示されたキャラクタの元気が失われていくという構成を採れば、当該キャラクタの元気を維持しようとする利用者の気持ちから携帯電話機の乱用を抑制することができる。
【００１２】
逆に、高額の使用料金の請求に関係なく携帯電話機の利用を継続する目的がある利用者にあっては、前記ランク分けされた規定出力を、格付け出力が格上となるにしたがって、生き物の成長、進化、健康、或いは昇進、又は物語、旅、或いは作業の進展のいずれかを段階的に前進させる出力とすることによって、堅苦しいビジネスに関する通信であっても、次々変化するストラップの出力を見聞きすることによって携帯電話機の使用に伴って多忙な日々の生き抜き等を行うことが出来る。
【００１３】
この様に、本発明は、通信量に応じて遊戯・娯楽的な出力に進歩や変化が生じ、携帯電話機の乱用防止も視野にいれ、若年層から年配層に至るまで立場に応じて長く楽しみを保持し続ける携帯電話機用ストラップを提供することができる。
【発明を実施するための最良の形態】
【００１４】
以下、本発明による携帯電話機用ストラップの実施の形態を図面に基づき説明する。
図１に示す第一の実施例は、通信時に発生する電波を受けて通信感知出力を発生する通信検出手段１と、前記通信感知出力の発生量を算出し当該算出結果に応じた利用出力を発生する積算手段２と、当該利用出力に応じた格付け出力を発生する制御手段３と、前記格付け出力に応じてランク分けされた規定出力を行う反応手段４とを具備した携帯電話機用ストラップである。
【００１５】
前記通信検出手段１は、携帯電話機の通信時に発生した電波に同調するアンテナ及び検波回路から構成され通話やメールの送受信が継続している間のみ通信感知出力を発生するものである。
【００１６】
前記積算手段２及び制御手段３は、ＣＰＵ、メモリ、及びカウンタ等からなる。前記積算手段２は、前記カウンタで計数された通信感知出力の発生回数を累積する形で算出しその算出結果の数値データを利用出力として出力する。前記制御手段３は、当該利用出力を格付けランク数の応じた閾値と比較し、当該利用出力に応じた表示選択データを格付け出力として発生する。
【００１７】
前記反応手段４は、前記規定出力を画像として表示する表示部９たるＬＣＤと、前記ランク分けされた規定出力として赤ちゃんの成長状態（図５参照）を段階的に表示する為の前記格付け出力に対応する規定画像データを保持したドライバ１０とを具備する。当該反応手段４では、当該表示選択データがドライバに入力され、その表示テーブルから前記格付け出力（表示選択データ）に応じた規定画像データを呼び出し当該規定画像を出力すべく表示部９たるＬＣＤを駆動する。
【００１８】
例えば、携帯電話機の累積使用時間が増加するほど、当該携帯電話機に取り付けられた（図４参照）ストラップが出力する規定画像の内容（当該例では、赤ちゃんの成長状態）が進歩する仕様とした場合には、図５の矢印の如く、格付けランク毎に、新生児、寝ながらの玩具遊び、食い初め、お座り、座り遊び、這い這い、捕まり立ち、立ち飲み、トイレ、衣服の着脱、幼稚園入学、小学校入学等の規定画像が進行する形で表示される。
【００１９】
図２に示す第二の実施例は、通信時に発生する電波を受けて通信感知出力を発生する通信検出手段１と、前記通信感知出力の発生量を算出し当該算出結果に応じた利用出力を発生する積算手段２と、前記通信感知出力の非感知量を算出し当該算出結果に応じたアイドル出力を発生する負積算手段５と、前記利用出力とアイドル出力との差に応じた格付け出力を発生する制御手段６と、前記格付け出力に応じてランク分けされた規定出力を行う反応手段４とを具備した携帯電話機用ストラップである。
【００２０】
前記通信検出手段１は、前記第一の実施例と同様に、携帯電話機の通信時に発生した電波に同調するアンテナ及び検波回路から構成され通話やメールの送受信が継続している間のみ通信感知出力を発生するものである。
【００２１】
前記積算手段２、負積算手段５、及び制御手段６は、ＣＰＵ、メモリ、及びタイマ等からなる。前記積算手段２は、前記タイマで計測された通信感知出力の継続時間を累積する形で算出しその算出結果の数値データを利用出力として出力し、前記負積算手段５は、前記タイマで計測された通信感知出力の非感知時間の継続時間を累積する形で算出しその算出結果の数値データをアイドル出力として出力する。前記制御手段６は、前記利用出力とアイドル出力との差を格付けランク数の応じた閾値と比較し、当該算出結果に応じた表示選択データを格付け出力として発生する。
【００２２】
当該第二の実施例における反応手段４も、前記第一の実施例と同様に、前記規定出力を画像として表示する表示部９たるＬＣＤと、前記ランク分けされた規定出力として赤ちゃんの成長状態を段階的に表示する為の前記格付け出力に対応する規定画像データを保持したドライバ１０とを具備する。当該反応手段４では、当該表示選択データがドライバに入力され、その表示テーブルから前記格付け出力に応じた規定画像データを呼び出し当該規定画像を出力すべくＬＣＤを駆動する。
【００２３】
当該第二の実施例は、携帯電話機の累積使用時間が増加するほど規定画像の内容（当該例では、赤ちゃんの成長状態）が逆に退歩し、前記通信感知出力の非感知時間の累積時間が増加するほど規定画像の内容が進歩する仕様となっている。この場合にも、図５の如く、格付けランク毎に、新生児、寝ながらの玩具遊び、食い初め、お座り、座り遊び、這い這い、捕まり立ち、立ち飲み、トイレ、衣服の着脱、幼稚園入学、小学校入学等の規定画像が表示される。
【００２４】
当該例は、児童に持たせる携帯電話機に取り付けることを目的とするストラップの一例として、図５の矢印の如くキャラクタの育つ過程を表した画像を規定出力とし、前記アイドル出力の発生量の増加が、キャラクタが順調に育つ為の成長条件となる。即ち、携帯電話機の使用をしない方が、キャラクタは速やかに成長していく仕様となっている。
【００２５】
当該第二の実施例の様に、タイマで時間を計測する仕様のストラップにおいては、図３の如く、一回の通話による前記通信感知出力の継続時間が一定の閾時間を超えることを条件として割り込み出力を発生する時計手段７と、当該割込み出力を受けて割込み専用の格付け出力を発生する制御手段８とを具備した構成を採ることにより、持ち主が嫌悪する態様の規定出力を発生させ、長電話の抑制効果を図ることが出来る。例えば、図６（Ａ）の如く、露骨に嫌悪感を表したキャラクタの画像や、キャラクタが死んで幽霊になった画像
（図６（Ｂ））を表示部９たるＬＣＤに出力したり、発声回路とスピーカを設けることによりアラームを鳴らしたりすることとなる。
【００２６】
前記ランク分けされた規定出力は、上記キャラクタの成長過程以外にも、例えば、一定のキャラクタの健康状態が前記通信量が増すに従って応じて悪化していき、前記非感知時間の継続時間に応じて当該キャラクタの健康状態が回復するといった形態が挙げられ、更には、生き物の成長、進化、健康、或いは昇進、又は物語、旅、或いは作業の進展のいずれか、或いはその他の進歩、退歩、格上げ、格下げ、成長、退行、進化、退化の態様を段階的に表示した画像表示や文章を、前記通信感知出力の継続時間、又は前記非感知時間の継続時間に応じて段階的に出力する形態としてもよい。
【産業上の利用可能性】
【００２７】
通話によって進化等するキャラクタをペット感覚で飼育したり、景色を多数変化させて世界中を旅するゲームとして地方の名所や特産物などを画像として出力するなど、アクセサリー産業やゲーム産業の新たな商品として寄与する。
【図面の簡単な説明】
【００２８】
【図１】本発明による携帯電話機用ストラップの機能構成の一例を示すブロック図である。
【図２】本発明による携帯電話機用ストラップの機能構成の一例を示すブロック図である。
【図３】本発明による携帯電話機用ストラップの機能構成の一例を示すブロック図である。
【図４】本発明による携帯電話機用ストラップの実施態様例を示す参考図である。
【図５】本発明による携帯電話機用ストラップの規定出力の一例を示す参考図である。
【図６】本発明による携帯電話機用ストラップの規定出力の一例を示す参考図である。
【符号の説明】
【００２９】
１  通信検出手段，２  積算手段，３  制御手段，４  反応手段，
５  負積算手段，６  制御手段，７  時計手段，８  制御手段，
９  表示部，１０  ドライバ，
【図１】
2006173761.tif 000003
【図２】
2006173761.tif 000004
【図３】
2006173761.tif 000005
【図４】
2006173761.tif 000006
【図５】
2006173761.tif 000007
【図６】
2006173761.tif 000008